(57)【要約】【課題】  プラスチック製コンパクトの蓋体を薄肉にするとともに、補強部材を付加することによって蓋体の強度を維持した軽量コンパクトを提供すること。【解決手段】  ケース本体と、蓋体とからなる角形のコンパクトにおいて、ケース本体および蓋体は、横断面が角形の側周壁を具備しており、ケース本体、または蓋体の少なくとも一方の側周壁の複数の角部に、ほぼ三角形状の補強板を配設すること、或いは、ケース本体、または蓋体の少なくとも一方の側周壁の全周に、内方に突出するリブを配設することを特徴とする。  また、円形または楕円形のコンパクトにおいては、ケース本体および蓋体は、横断面が円形、または楕円形の側周壁を具備し、少なくとも一方の側周壁の全周に、内方に突出するリブを配設することを特徴とする。【選択図】  図１
2005046547.tif 000002
【特許請求の範囲】
【請求項１】
ケース本体と、蓋体とからなる角形のコンパクトであって、
ケース本体および蓋体は、横断面が角形の側周壁を具備しており、
ケース本体、または蓋体の少なくとも一方の側周壁の複数の角部に、ほぼ三角形状の補強板を配設したことを特徴とする角形の軽量コンパクト。
【請求項２】
ケース本体と、蓋体とからなる角形のコンパクトであって、
ケース本体および蓋体は、横断面が角形の側周壁を具備しており、
ケース本体、または蓋体の少なくとも一方の側周壁の全周に、内方に突出するリブを配設したことを特徴とする角形の軽量コンパクト。
【請求項３】
ケース本体と、蓋体とからなる円形または楕円形のコンパクトであって、
ケース本体および蓋体は、横断面が円形、または楕円形の側周壁を具備しており、
ケース本体、または蓋体の少なくとも一方の側周壁の全周に、内方に突出するリブを配設したことを特徴とする円形または楕円形の軽量コンパクト。
【発明の詳細な説明】
【技術分野】
【０００１】
本発明は、コンパクト、とくにケース本体、蓋体などの肉厚を薄くし、材料の節減を計ったプラスチック製の軽量コンパクトに関するものである。
【背景技術】
【０００２】
コンパクトの材料として、従来よりアルミその他の金属、プラスチック等が使用されているが、高級感を付与するために美麗な加飾が施されており、重量感もあった。
また、一方では、持ち運びの便、使いやすさということから、コンパクトの重さを軽くすることが求められるようになり、また、省資源ということから、金属やプラスチックの減量、分別廃棄が要請されている。
【０００３】
軽量化したコンパクトとして、ケース本体と蓋体を薄肉としたコンパクトケースは、従来より知られている（例えば、特許文献１参照）。
上記文献記載のケース本体と蓋体は、通常の場合、金属板を用いて成形されているものであり、その構造は、プラスチック製コンパクトの薄肉化には適用できなかった。
【特許文献１】特開２００１−３７５３９号公報
【発明の開示】
【発明が解決しようとする課題】
【０００４】
プラスチック製コンパクト容器の材料を減量し、ケース本体、蓋体を薄肉にすると、剛性が劣り、少しの外力で変形が起こりやすくなり、ハンドバックや化粧ポーチに入れて持ち歩くときに、外力によって変形することがあった。
【０００５】
本発明は、プラスチック製コンパクトの蓋体を薄肉にするとともに、補強部材を付加することによって蓋体の強度を維持した軽量コンパクトを提供することを目的とする。
【課題を解決するための手段】
【０００６】
本発明は、上記の課題を解決するために、軽量コンパクトとして、ケース本体と、蓋体とからなる角形のコンパクトであって、ケース本体および蓋体は、横断面が角形の側周壁を具備しており、ケース本体、または蓋体の少なくとも一方の側周壁の複数の角部に、ほぼ三角形状の補強板を配設したことを特徴とする構成を採用する。
【０００７】
また、別実施例として、ケース本体と、蓋体とからなる角形のコンパクトであって、ケース本体および蓋体は、横断面が角形の側周壁を具備しており、ケース本体、または蓋体の少なくとも一方の側周壁の全周に、内方に突出するリブを配設したことを特徴とする構成を採用する。
【０００８】
円形または楕円形の軽量コンパクトの実施例として、ケース本体と、蓋体とからなる円形または楕円形のコンパクトであって、ケース本体および蓋体は、横断面が円形、または楕円形の側周壁を具備しており、ケース本体、または蓋体の少なくとも一方の側周壁の全周に、内方に突出するリブを配設したことを特徴とする構成を採用する。
【発明の効果】
【０００９】
角形コンパクトにおいて、ケース本体または蓋体の少なくとも一方の側周壁の複数の角部にほぼ三角形の補強板を配設して、隣り合う壁面を結合したので、ケース本体や蓋体を薄肉にしても必要な強度が維持され、軽量化されたコンパクトを得ることができた。
また、角形、或いは円形、楕円形のコンパクトにおいて、ケース本体または蓋体の側周壁の全周に、内方に突出するリブを配設したので、ケース本体や蓋体を薄肉にしても側周壁の必要な強度が維持され、軽量化されたコンパクトを得ることができた。
【発明を実施するための最良の形態】
【００１０】
次に、本発明の各実施例について説明する。
【実施例１】
【００１１】
本発明の第１実施例について、図面を参照して説明する。
図１において、Ａはコンパクトのケース本体、Ｂは蓋体、Ｃはケース本体Ａに取着された蓋係止部材である。
【００１２】
図１〜４に示すように、ケース本体Ａは、底壁１と側周壁２とからなり、側周壁２は、前壁３，後壁４と左右の側壁５ａ，５ｂとから構成され、ケース本体Ａ内部は、化粧料、パフなどの収納部となっている。  
前壁３は、底壁１前端縁より引き込んだ位置に立設されており、該前壁３と、底壁１の側端縁に立設された側壁５ａ，５ｂの各前端部６ａ，６ｂ、底壁１の前端部１ａによって、蓋係止部材Ｃの取付部が形成されている。
【００１３】
後壁４と側壁５ａ，５ｂの上面内周には、蓋体Ｂが当接する突出段部７が設けられており、後壁４の中央部外周には、蝶番を取着するための切欠部８が刻設され、切欠部８の端面には、後壁４を貫通する軸受孔９が穿設されている。
【００１４】
蓋体Ｂは、頂壁１０と、頂壁１０の端縁に垂設された側周壁１１とからなり、側周壁１１は、前壁１２と後壁１３、および両側壁１４ａ，１４ｂとから構成されている。
前壁１２に沿って先端にフック１５を設けた係止片１６が設けられており、後壁１３中央には、蝶番１７が設けられている。
【００１５】
蝶番１７には、軸受孔１８が穿孔されており、該軸受孔１８とケース本体Ａ後壁４の軸受孔９を通じて蝶番用軸ピン１９が嵌挿され、蝶番１７を介して蓋体Ｂがケース本体Ａに廻動自在に取着されている。
【００１６】
蓋体Ｂの側周壁１１の角部には、隣接する各壁端部を結ぶ三角形の補強板２０ａ，２０ｂ，２０ｃ，２０ｄが架設されており、閉蓋時には、側周壁１１の下端部と、補強板２０の内周は、ケース本体Ａの突出段部７に当接して位置決めされる。
蓋体Ｂ頂壁１０の裏面には、鏡２１が貼着されている。
【００１７】
蓋係止部材Ｃは、上板２５と側板２６とを具えており、上板２５には、蓋体Ｂの係止片１６の挿入孔２７が設けられている。
側板２６の下端中央には、上端にフックを設けた係止片２８を先端に立設した連結板２９が連設されている。
連結板２９の前端側部には、ばね部材２９ａが連設され、蓋係止部材Ｃを外方に付勢するようにしており、連結板２９の下面には、ストッパーが設けられ、蓋係止部材Ｃの抜け落ちを阻止している。
【００１８】
次に、本実施例のコンパクトの作用効果について説明する。
本発明コンパクトの使用にあたっては、ケース本体には収納皿等の支持枠が配設され、化粧料、パフなどが収納される。
【００１９】
蓋体Ｂが閉じられているとき、蓋体Ｂの側周壁１１側方から外力がかかっても、側周壁１１内周は、ケース本体Ａの側周壁２の突出段部７に当接して側周壁１１の変形が阻止される。
頂壁１０の上方から外力がかかるときには、側周壁１１端縁は外方に変形しようとするが、側周壁１１の角部には、補強板２０が配設されているので、側壁１４ａ，１４ｂの端縁の側方への変形は、前壁１２または後壁１３によって阻止され、前壁１２または後壁１３の前方、後方への変形は、側壁１４によって阻止される
【００２０】
蓋体Ｂを開いた状態で、蓋体Ｂの側周壁１１を内方に押圧するような力をかけられても、補強板２０を配設しているため、側周壁１１の各壁面にかかる外力による変形は、隣り合う壁面によって阻止される。
したがって、蓋体Ｂの頂壁１０と側周壁１１を薄肉としても、側周壁１１角部に補強板２０を配設したことによって、強度の低下を防ぐことができる。
【００２１】
また、ケース本体Ａも、蓋係止部材Ｃを、前壁３と側周壁２前方部に配設したこと、側周壁２をできるだけ薄肉としたこと等によって、材料の減量が図られている。
しだかって、コンパクト全体として、必要な強度を充分に維持しつつ、軽量とすることができた。
【００２２】
上記実施例では、補強板２０ａ，２０ｂ，２０ｃ，２０ｄの上面は、側周壁１１の下端部と面一となっているが、図５に示すように、下端縁より頂壁側に配設するようにしてもよい。
また、補強板の配設場所も対角の二カ所、或いは前壁１２と側壁１４との接続部のみに配設するだけでもよい。
【００２３】
さらにまた、実施例では、ケース本体Ａの側周壁２の上面に突出段部７を設け、閉蓋時に、蓋体の変形を阻止するようにしたが、補強板２０だけでも必要な強度が維持されるので、突出段部７をなくしてもよい。
【実施例２】
【００２４】
次に、本発明コンパクトの実施例２について説明する。
本実施例は、補強部材として、補強板に変え側周壁の全周にリブを設けたものである。
図６、７において、Ａａはケース本体、Ｂａは蓋体、Ｃａは蓋係止部材である。
ケース本体Ａａは、底壁３０と上面を平面とした側周壁３１とからなり、側周壁３１は、前壁３２、後壁３３と側壁３４ａ，３４ｂとから構成されている。
【００２５】
前記第１実施例と同様に、前壁３２は、底壁３０前端縁より内側に引き込んだ位置に立設されており、前壁３２および側壁３４の前端部３５ａ，３５ｂ、底壁の前端部３０ａとによって蓋係止部材Ｃａの取着部が形成されている。
後壁３３の中央部には、蝶番取付のための切欠部３６が設けられ、切欠部３６端面の所定の位置には、後壁３３を貫通する軸受孔が穿孔されている。
【００２６】
蓋体Ｂａは、頂壁４０と頂壁４０の端縁から垂設された側周壁４１とからなり、側周壁４１は、前壁４２と後壁４３と側壁４４ａ，４４ｂとから構成され、側周壁４１の下端には、内方に突設するリブ４５が連設されている。
【００２７】
前壁４２の中央には、リブ４５の下面から係止片４６が垂設されており、後壁４３の中央部には、軸受孔を穿孔した蝶番４７が垂設されている。
蝶番４７の軸受孔とケース本体後壁３３の軸受孔には、蝶番用軸ピンが嵌挿され、蓋体Ｂａは蝶番４７を介して、ケース本体Ａａに廻動自在に取着されている。
【００２８】
蓋係止部材Ｃａは、第１実施例の蓋係止部材Ｃと同一であり、同じ符号を付して図示し、説明は省略する。
【００２９】
次に、第２実施例コンパクトの作用効果について説明する。
本実施例のコンパクトは、前第１実施例のものと同様に使用され、同等の作用効果を得ることが得られる。
とくに、蓋体Ｂａの蓋体側周壁４１の下端の全周にリブ４５が配設されているので、蓋体Ｂａを薄肉にして、コンパクトを軽量化しても必要な強度が維持され、側周壁４１が変形することが阻止される。
また、リブは下端より頂壁側に配設してもよい。
【００３０】
前記各実施例では、四角形のコンパクトを示したが、三角形、五角形、六角形など他の多角形とすることもできる。
【実施例３】
【００３１】
次に、第３実施例について説明する。
前記各実施例では、四角形のコンパクトについて説明したが、本実施例は、円形コンパクトに係るものである。
【００３２】
図８、９において、Ａｂはケース本体、Ｂｂはケース本体Ａｂに蝶番を介して取着された蓋体、Ｃｂは蓋係止部材である。
ケース本体Ａｂは、円形の底壁５０と側周壁５１とからなり、側周壁５１上面の内周は突出段部５２となっており、上面の所定の位置には、蓋係止部材Ｃｂを取着するための取付部５３が配設されている。
取付部５３の反対側には、蝶番を取付ける切欠部５４が刻設され、切欠部５４の端面には、側周壁５１を貫通する軸受孔が穿孔されている。 
【００３３】
蓋体Ｂｂは、円形の頂壁５５と側周壁５６とからなり、側周壁５６の下端の全周には、内方に延びるリブ５７が突設されている。
側周壁５６の所定の位置には、軸受孔を穿孔した蝶番５８が連設されている。
側周壁５６の蝶番５８の反対側には、下端にフックを設けた係止片５９が連設されている。
蝶番５８の軸受孔とケース本体Ａｂ側周壁５１の軸受孔との間に、軸ピンが嵌挿され、蓋体Ｂｂを廻動自在にケース本体Ａｂに取着するようにしている。
【００３４】
蓋係止部材Ｃｂは、押さえ板６０と、該押さえ板６０に連設され、上端にフックを設けた係止片６１を立設した連結板６２、連結板６２に連設されたばね部材、およびストッパーとからなっており、蓋体Ｂｂの閉蓋時に、係止片６１が蓋体Ｂｂの係止片５９に係合するようになっている。
【００３５】
次に、第３実施例コンパクトの作用効果について説明する。
使用にあたって、ケース本体Ａｂに化粧皿が収納される。
蓋体Ｂｂの側周壁５６下端の全周にリブ５７が配設されているので、蓋体Ｂｂを薄肉にしても必要な強度が維持され、とくに閉蓋時には、リブ５７がケース本体Ａｂの側周壁５１上面に載置されるとともに、リブ５７の内周が突出段部５２に当接するので側周壁５６が変形することが阻止される。
また、リブは、下端より頂壁側に配設するようにしてもよい。
【実施例４】
【００３６】
次に、ケース本体に補強部材を配設し、ケース本体を薄肉化した第４実施例について説明する。
本実施例は、第１実施例のケース本体を変更したものである。
蓋体、蓋係止部材は第１実施例のそれと同一であるので、同一の符号で図示し、説明を省略する。
【００３７】
図１０において、Ａｃはケース本体、Ｂは蓋体、Ｃは蓋係止部材であり、ケース本体Ａｃは、角形の底壁７０と側周壁７１とからなり、側周壁７１は、前壁７２、後壁７３と、左右の側壁７４ａ，７４ｂとから構成されている。
側周壁７１の上面は、平坦となっており、各角部には、隣接する各壁端部を結ぶ三角形の補強板７５ａ，７５ｂ，７５ｃ，７５ｄが架設されている。
【００３８】
第１実施例と同様に、ケース本体Ａｃの前壁７２の前方部には、蓋係止部材Ｃが取着され、後壁７３には、蝶番を介して蓋体Ｂが取着されている。
【００３９】
次に、本実施例の作用効果について説明する。
本実施例のケース本体Ａｃは、図１０に示すように、側壁７４ａ，７４ｂが薄肉となっているが、補強板７５を配設したことによって、必要な強度を維持しつつケース本体Ａｃの一層の減量が図られ、コンパクトとして第１実施例と同様の作用効果を得ることができた。
【００４０】
なお、本実施例では、補強板７５は、側周壁７１の上面と面一に配設したが、図５に示された補強板２０と同様に、側周壁７５上面より底壁側に配設するようにしてもよい。
【００４１】
また、上記実施例では、側周壁の角部に補強板７５を配設したが、側周壁の全周に第２実施例の蓋体に設けたリブ４５を配設するようにしてもよい。
【００４２】
前記第１、第４実施例では、三角形の補強板２０または７５を配設したが、隣り合う側周壁を内側辺を直線に変え、円弧、または楕円弧とした補強板にしてもよい。
【００４３】
前記第３実施例の円形コンパクトにおいて、リブをケース本体の側周壁の全周に内方に延びるように突設してもよい。
【００４４】
前記各実施例では、蓋体を、蝶番を介してケース本体に廻動自在に取着したが、ケース本体に対して、蓋体を被せ嵌着するようにしてもよい。
【産業上の利用可能性】
【００４５】
コンパクトのケース本体または蓋体の少なくとも一方を補強部材によって補強することによって、コンパクトを薄肉、軽量化しても必要な強度を確保し、樹脂材料の節減を図ることができる。
【図面の簡単な説明】
【００４６】
【図１】第１実施例のコンパクトの蓋体を開いた状態の斜視図である。
【図２】コンパクトの蓋体を閉じた状態の縦断面図である。
【図３】コンパクトの蓋体を開いた状態の縦断面図である。
【図４】蓋体を開いたコンパクトの平面図である。
【図５】蓋体の変形例の説明図である。
【図６】第２実施例のコンパクトの蓋体を開いた状態の縦断面図である。
【図７】第２実施例のコンパクトの蓋体を開いた状態の平面図である。
【図８】第３実施例のコンパクトの蓋体を開いた状態の縦断面図である。
【図９】第３実施例のコンパクトの蓋体を開いた状態の平面図である。
【図１０】第４実施例のコンパクトの蓋体を開いた状態の平面図である。
【符号の説明】
【００４７】
Ａ、Ａａ、Ａｂ、Ａｃ  ケース本体
Ｂ、Ｂａ、Ｂｂ  蓋体
Ｃ、Ｃａ、Ｃｂ  蓋係止部材
１、３０、５０、７０  底壁
２、３１、５１、７１  側周壁
３、３２、７２  前壁
４、３３、７３  後壁
５ａ，ｂ、３４ａ，ｂ、７４ａ，７４ｂ  側壁
６ａ，ｂ、３５ａ，ｂ  前端部
１０、４０、５５  頂壁
１１、４１、５６  側周壁
１２、４２  前壁
１３、４３  後壁
１４ａ，ｂ、４４ａ，ｂ  側壁
１６、４６、５９  係止片
１７、４７、５８  蝶番
２０ａ，ｂ，ｃ，ｄ、７５ａ，ｂ，ｃ，ｄ  補強板
４５、５７  リブ
６１        係止片
【図１】
2005046547.tif 000003
【図２】
2005046547.tif 000004
【図３】
2005046547.tif 000005
【図４】
2005046547.tif 000006
【図５】
2005046547.tif 000007
【図６】
2005046547.tif 000008
【図７】
2005046547.tif 000009
【図８】
2005046547.tif 000010
【図９】
2005046547.tif 000011
【図１０】
2005046547.tif 000012